(57)【要約】【課題】  発熱用容器を水容器に入れるだけで極めて迅速に水分を浸透させ、スムーズな発熱を行なわせる発熱用容器としての燻蒸用発熱材を提供することを目的とする。【解決手段】  燻蒸用薬剤を加熱燻蒸するための発熱材であって、該発熱材は、水と接触して発熱する発熱物質（３）と、発熱物質（３）を収容する密閉容器（２）とを具備し、密閉容器（２）の底壁（７）及び側壁（５）の少なくともいずれか一方を水浸透性壁（８）とし、水浸透性壁（８）に界面活性剤を含浸させたことを特徴とする燻蒸用発熱材。【選択図】  図１
2004350688.tif 000002
【特許請求の範囲】
【請求項１】
燻蒸用薬剤を加熱燻蒸するための発熱材であって、該発熱材は、水と接触して発熱する発熱物質と、該発熱物質を収容する密閉容器とを具備し、該密閉容器の底壁及び側壁の少なくともいずれか一方を水浸透性壁とし、該水浸透性壁に界面活性剤を含浸させたことを特徴とする燻蒸用発熱材。
【請求項２】
燻蒸用薬剤を加熱燻蒸するための発熱材であって、該発熱材は、水と接触して発熱する発熱物質と、該発熱物質を収容する密閉容器とを具備し、該密閉容器の底壁及び側壁の少なくともいずれか一方に吸水孔を設け、該吸水孔に接して水浸透性層を設け、該水浸透性層に界面活性剤を含浸させたことを特徴とする燻蒸用発熱材。
【請求項３】
前記含浸される界面活性剤が、ＨＬＢ８以上であることを特徴とする請求項１若しくは２に記載の燻蒸用発熱材。
【請求項４】
前記含浸される界面活性剤が、非イオン性界面活性剤であることを特徴とする請求項１若しくは２に記載の燻蒸用発熱材。
【請求項５】
前記水浸透性壁及び水浸透性層の厚みが、０．３〜５ｍｍであることを特徴とする請求項１若しくは２に記載の燻蒸用発熱材。
【発明の詳細な説明】
【技術分野】
【０００１】
本発明は、燻蒸用薬剤を加熱燻蒸するための燻蒸用発熱材に関する。
【背景技術】
【０００２】
従来、衛生害虫の駆除を短時間に行なう方法として、発泡剤を含有した薬剤を水と接触せしめて発熱させ、薬剤の有効成分を蒸散させて殺虫する駆除法が知られている。
【０００３】
この駆除法は、水に接触すると直ちに熱を発する例えば酸化カルシウムを収容した発熱用容器上に、燻蒸用薬剤として例えばペルメトリンを収容した薬剤容器を置き、前記発熱用容器を水を入れた容器中に置くことにより、発熱用容器の底部に設けた小孔より水分を侵入させて酸化カルシウムに接触させ、酸化カルシウムの発熱を燻蒸用薬剤に伝えて蒸散させるように構成されている。
【発明の開示】
【発明が解決しようとする課題】
【０００４】
しかしながら、従来の水による発熱タイプのものでは、使用時に水を入れた容器中に発熱用容器を浸漬させても、水が素早く発熱用容器中に浸透せずスムーズな発熱が行なわれないという問題がある。
本発明は、上記事情に鑑みてなされたもので、発熱用容器を水容器に入れるだけで極めて迅速に水分を浸透させ、スムーズな発熱を行なわせる発熱用容器としての燻蒸用発熱材を提供することを目的とする。
【課題を解決するための手段】
【０００５】
上記目的を達成するため本発明の燻蒸用発熱材は、
水と接触して発熱する発熱物質と、該発熱物質を収容する密閉容器とを具備し、該密閉容器の底壁及び側壁の少なくともいずれか一方を水浸透性壁とし、該水浸透性壁に界面活性剤を含浸させたものである。
若しくは、水と接触して発熱する発熱物質と、該発熱物質を収容する密閉容器とを具備し、該密閉容器の底壁及び側壁の少なくともいずれか一方に吸水孔を設け、該吸水孔に接して水浸透性層を設け、該水浸透性層に界面活性剤を含浸させたものである。
さらに、前記含浸される界面活性剤をＨＬＢ８以上としたものである。
さらに、又は、前記含浸される界面活性剤を非イオン性界面活性剤としたものである。
さらに、又は、前記水浸透性壁及び水浸透性層の厚みを０．３乃至５ミリとしたものである。
【０００６】
上記のように構成された燻蒸用発熱材は、使用時に発熱材を水容器内に浸漬させた際、水を吸収しやすく、素早く発熱させることができるので、燻蒸用薬剤の燻蒸ムラを防ぎ効果的な蒸散殺虫効果を挙げることができる。
【発明の効果】
【０００７】
以上、詳細に説明したように、本発明の燻蒸用発熱材は発熱物質を収容し、発熱物質と水とを作用せしめる境界に界面活性剤を含浸させた水浸透性壁もしくは水浸透性層を設けたので、発熱物質への吸水が素早く行なえ、効率的に薬剤の蒸散が行なえる特長がある。
【発明を実施するための最良の形態】
【０００８】
以下本発明の実施形態を図１ないし図９を参照にして詳細に説明する。図１は燻蒸用発熱材の断面図。図２は燻蒸用発熱材に薬剤容器を取り付けた断面図。図３は吸水孔及び水浸透性層を設けた燻蒸用発熱材の断面図。図４ないし図９は発熱物質を収容する密閉容器と薬剤容器とを組合わせ一体化した燻蒸用発熱材の各種断面図である。
【０００９】
図１において、燻蒸用発熱材１は密閉容器２と発熱物質３とより構成されている。密閉容器２は円筒もしくは角筒状の容器で、図示したものは上壁４と側壁５とが一体的に形成された成型品であって、底面部分は開放口６が設けてある。この開放口６には蓋状の底壁７が密接され密閉容器２を形成できるようになっている。
【００１０】
底壁７は水浸透性の物質、例えば、不織布、編織布、グラスウール、石綿、濾紙及び脱脂綿等の多数の微細な空隙を有する連続気泡体や繊維質マットを成型した水浸透壁８の外周に、前記開放口６の外周に密接被着するフランジ部９を設けたものである。この水浸透壁８には界面活性剤が含浸されており、底壁７を下側にして予め少量の水を張った水容器１０（図２参照）に浸漬することにより、界面活性剤の作用で水の表面張力を減少させるので、密閉容器２内への水の浸透が素早く行なわれるようになっている。
【００１１】
この界面活性剤は、水吸収性が良いことを条件として、水に分解若しくは溶解するものであれば良く、ＨＬＢ８以上のものが望ましい。
界面活性剤は以下に挙げられる。すなわち、陰イオン性界面活性剤として、脂肪酸塩、アルキル硫酸エステル塩、アルキルベンゼンスルフォン酸塩、アルキルナフタレンスルフォン酸塩、アルキルスルフォコハク酸塩、アルキルスルホカルボン酸塩、α−オレフィンスルホン酸塩、アルキルジフェニルエーテルジスルフォン酸塩、アルキルリン酸塩、ポリオキシエチレンアルキルエーテルリン酸塩、ポリオキシエチレンアルキル硫酸エステル塩、ポリオキシエチレンアルキルアリル硫酸エステル塩、ポリオキシエチレンアルキルエーテル酢酸塩、ポリオキシエチレンアルキルリン酸エステル、ナフタレンスルフォン酸ホルマリン縮合物、特殊ポリカルボン酸型高分子界面活性剤等が挙げられる。また、陽イオン性界面活性剤として、アルキルアミン酸、第四級アンモニウム塩等が挙げられる。また、両性イオン性界面活性剤として、アルキルベタイン、酢酸ベタイン、アミンオキサイド、イミダゾリニウムベタイン、レシチン等が挙げられる。また、電離しないという条件から非イオン性界面活性剤として、ソルビタン脂肪酸エステル、グリセリン脂肪酸エステル、ポリグリセリン脂肪酸エステル、デカグリセリン脂肪酸エステル、ポリオキシエチレンソルビタン脂肪酸エステル、ポリオキシエチレンソルビット脂肪酸エステル、ポリオキシエチレングリセリン脂肪酸エステル、ポリオキシエチレングリコール脂肪酸エステル、ポリオキシエチレンアルキルエーテル、ポリオキシエチレンフィトステロール、ポリオキシエチレンフィトスタノール、ポリオキシエチレンポリエキシプロピレンアルキルエーテル、ポリオキシエチレンアルキルフェニルエーテル、ポリオキシエチレンヒマシ油、ポリオキシエチレン硬化ヒマシ油、ポリオキシエチレンラノリン、ポリオキシエチレンラノリンアルコール、ポリオキシエチレンミツロウ誘導体、ポリオキシエチレンアルキルアミン、ポリオキシエチレン脂肪酸アミド、ポリオキシエチレンアルキルフェニルホルムアルデヒト縮合物等が挙げられる。
上記した界面活性剤の０．０１〜５ｇ程度を含浸量とし、厚さが０．３〜５ｍｍ（好ましくは、０．５〜３ｍｍ）、さらに目付重量が５０〜４００ｇ／ｍ2及び又は通気度が１〜２０ｍｍＡｇ程度の水浸透壁８若しくは水浸透性層１６に含浸させておくことにより、水を均一に密閉容器２内に導くことができる。ここに、通気度とは、フラジール型通気度試験で流速２０ｃｍ／ｓｅｃの条件で測定した空気抵抗である。
【００１２】
上述した密閉容器２は底壁７に水浸透壁８を使用した例を説明したが、前記水浸透壁８を密閉容器２の側壁５側に設け、上壁４と底壁５とを蓋状成型品として被着させたものであっても、前記した密閉容器２と同様の効果を得ることができる。なお、いずれの場合であっても密閉容器２の上壁４は加熱伝熱面として熱溶融性フィルムで形成しておく方が望ましい。
【００１３】
上述した密閉容器２内に収容される発熱物質３は、公知の各種発熱物質が使用可能であり、例えば、酸化カルシウム、塩化マグネシウム、塩化アルミニウム、塩化カルシウム、塩化鉄等が挙げられる。
このような発熱物質３を密閉容器２内に収容し、予め密閉容器２の側壁５の上部にガス放出孔１１を設けておき図２に示すように、水容器１０内に置くことにより、水浸透壁８を介して水分は密閉容器２内の発熱物質３と接触し吸水発熱を発生する。
【００１４】
前記上壁４の上には上部が開放された薬剤容器１２が設けてあって、この薬剤容器１２内の燻蒸用薬剤１３は上壁４からの熱を受けて燻蒸される。この燻蒸用薬剤１３は従来より害虫駆除、殺ダニ、殺菌（ＰＣＭＸ、ＴＢＺ）等の目的に使用されているピレスロイド系、カーバメート系、有機リン系、有機ケイ素系の各種薬剤が使用可能であり、例えば、ペルメトリン、フェノトリン、ベンフルスリン、サイフェノトリン、サイペルメトリン、フェンバレレート、プラレトリン及びこれらの異性体及び類縁体、メトキサジアゾン並びにＤＤＶＰ等が挙げられ、また、これらの主剤に、アゾジカルボンアミド、アゾビスイソブチロニトリル、ニトロセルロース等の蒸散助剤、ＢＨＴ及びＢＨＡ等の酸化防止剤が添加される。
【００１５】
図３は密閉容器２の底壁１４に複数の吸水孔１５を設け、この吸水孔１５に接して水浸透性層１６を設けた燻蒸用発熱材１を形成したものである。この密閉容器２は側壁５と底壁１４とを一体的に成形した容器で、上壁４は被着する構成になっている。この密閉容器２の底壁１４には複数の小孔を穿設した吸水孔１５が設けてある。この各吸水孔１５を設けた底壁１４の内側上部には各吸水孔１５に接する水浸透性層１６が設けてある。この水浸透性層１６は０．３〜５（ミリ）層のレーヨン、ナイロン、ポリプロピレン、ポリエチレン、ポリエステル等の不織布若しくは編織布で形成された上記目付重量及び通気度の層で、この水浸透性層１６には上述の界面活性剤が含浸されている。
【００１６】
上述した界面活性剤を含浸した水浸透性層１６の上部には、前に述べた発熱物質３が収容され上壁４を被着密閉した燻蒸用発熱材１を形成してある。
この燻蒸用発熱材１も図２に示したものと同様に、吸水孔１５を有する底壁１４側を水容器１０内に浸漬することにより、水容器１０内の水分は複数の吸水孔１５と水浸透性層１６とを介して密閉容器２内に入り、発熱物質３と接して素早く発熱作用を行なう。
【００１７】
図４ないし図９は密閉容器２と薬剤容器１２とを組合わせ一体化した燻蒸用発熱材１の各種態様を示したものである。
図４は、上壁４の略中央部分に円筒もしくは角筒の空間部Ａを設け、この空間部Ａ内に燻蒸用薬剤を装填するようにしたものである。そして、密閉容器２の底壁７には吸水孔１５を設け、底壁７の内側上面には水浸透性層１６を配し、密閉容器２内には発熱物質３を装填してある。
【００１８】
図５は、上壁４の略中央部分に円筒状の空間部Ａを設け、密閉容器２を形成する側壁５と底壁７とを水浸透壁８によって構成し、両壁より水が浸透するようにしたものであり、密閉容器２内には発熱物質３を装填したものである。
【００１９】
図６に示した燻蒸用発熱材１は、上壁４を略々開放口とした円錐形状の凹部となる空間部Ａとし、密閉容器２の側壁５を水浸透壁８で形成したものである。
【００２０】
図７は、図２に示したものと同様に上壁４上に薬剤容器１２を装着したものであるが、底壁１４には吸水孔１５を穿設し底壁１４上に水浸透性層１６を設けた図３のものと同様になっている。この燻蒸用発熱材１の密閉容器２の下方には水容器１０が嵌合されてあって、この水容器１０内に予め水を入れ密閉容器８を装着すれば発熱燻蒸が行なわれるように構成されたものである。
【００２１】
図８に示すものは、密閉容器２の下部に水溜１９を予め設けておき、水溜とその上部に接する水浸透性層１６との間に金属薄膜２０を設け、密閉容器２の外側より別に設けた針１７で前記金属薄膜２０に穴を開け、密閉容器２内の発熱物質３を反応させるようにしたものである。この時、針１７の針先１８は水浸透性層１６を突き破るがピンホールができるだけで問題はない。
【００２２】
図９に示した燻蒸用発熱材１は、上碗２１と下碗２２とよりなる偏単球状の密閉容器２Ａを用いたものである。上碗２１内には燻蒸用薬剤１３を封入し、下碗２２の底部には吸水孔１５を設け水浸透性層１６を介して発熱物質３を収容し、下碗２２の上面には上壁４となる熱溶融性フィルムを貼着してある。
この上碗２１と下碗２２とは直径方向の両端部に設けたフック部２３によって締着されている。このような形状の燻蒸用発熱材１は下碗２２を別に設けた水容器に浸漬することにより直ちに燻蒸を行なう。また、前記上碗２１と下碗２２内にそれぞれ封入されている薬剤が密封入されている場合には、予め開封しておけばよい。
【００２３】
以上説明した各種の燻蒸用発熱材１は、いずれも本発明に係わる界面活性剤を含浸させた水浸透性壁８及び水浸透性層１６を用いているので、形状の如何に関係なく水が素早く浸透しスムーズな発熱を行ない。従って燻蒸用薬剤を効果的に燻蒸することができる。また、各実施例において設けられている吸水孔は、予め設けるか、若しくは必要に応じて設けるようにしても良い。
【実施例】
【００２４】
以下、一実験例として図４に示した燻蒸用発熱材１を用いた結果を表１に示す。なお、発熱物質は酸化カルシウム（粒度１〜５メッシュ）１００ｇを充填し、下表の実施例１〜５に示した水浸透性層１６に界面活性剤を含浸した密閉容器２の空間部Ａに、殺虫薬剤としてフェノトリン１０部、蒸散助剤としてアゾジカルボンアミド９０部を収容し、水４０ｇを入れた水容器へ浸漬させた。なお、各実施例において、非イオン性界面活性剤として、ポリオキシエチレンソルビタン（実施例１）、ポリオキシエチレングリセリン（実施例２）、ポリオキシエチレンアルキル（実施例３）が使用され、陰イオン性界面活性剤として、ポリオキシ硫酸エステル塩（実施例４）が使用され、両性イオン性界面活性剤として、アルキルベタイン（実施例５）が使用されている。
【００２５】
【表１】
2004350688.tif 000003
【００２６】
さらに、上記各実施例の界面活性剤を含ませた水浸透性層を用いたものもの、及び実施例３の構成で界面活性剤を含浸させない水浸透性層を用いたものを比較例とし、これらの有効揮散率を表２に示す。
【００２７】
【表２】
2004350688.tif 000004
【００２８】
なお、殺虫薬剤の有効揮散率は、密閉した室内で殺虫薬剤を揮散させ、室内の空気をベンゼン中に通して捕集し、これを濃縮後、ガスクロマトグラフィにより測定し、初期殺虫薬剤に対する百分率で表わしたものである。
【図面の簡単な説明】
【００２９】
【図１】本発明の一実施例を示す燻蒸用発熱材の断面図である。
【図２】図１の燻蒸用発熱材に薬剤容器を取り付けた使用時の断面図である。
【図３】本発明の別実施例を示す燻蒸用発熱材の断面図である。
【図４】燻蒸用発熱材と薬剤容器とを一体化した断面図である。
【図５】図４の変形例を示す燻蒸用発熱材の断面図である。
【図６】図４の別の変形例を示す燻蒸用発熱材の断面図である。
【図７】図２の変形例を示す燻蒸用発熱材の断面図である。
【図８】図５の変形例を示す燻蒸用発熱材の断面図である。
【図９】球型状燻蒸用発熱材の外観図である。
【符号の説明】
【００３０】
１  燻蒸用発熱材
２  密閉容器
３  発熱物質
４  上壁
５  側壁
７  底壁
８  水浸透性壁
１２  薬剤容器
１６  水浸透性層
【図１】
2004350688.tif 000005
【図２】
2004350688.tif 000006
【図３】
2004350688.tif 000007
【図４】
2004350688.tif 000008
【図５】
2004350688.tif 000009
【図６】
2004350688.tif 000010
【図７】
2004350688.tif 000011
【図８】
2004350688.tif 000012
【図９】
2004350688.tif 000013
【手続補正書】
【提出日】平成16年8月24日(2004.8.24)
【手続補正１】
【補正対象書類名】特許請求の範囲
【補正対象項目名】全文
【補正方法】変更
【補正の内容】
【特許請求の範囲】
【請求項１】
水浸透性を有する不織布であって、
界面活性剤を含浸させることができ、厚さ０．３〜５ｍｍ、目付重量５０〜４００ｇ／ｍ２であることを特徴とする発熱材用不織布。
【手続補正２】
【補正対象書類名】明細書
【補正対象項目名】０００４
【補正方法】変更
【補正の内容】
【０００４】
しかしながら、従来の水による発熱タイプのものでは、使用時に水を入れた容器中に発熱用容器を浸漬させても、水が素早く発熱用容器中に浸透せずスムーズな発熱が行なわれないという問題がある。
本発明は、上記事情に鑑みてなされたもので、発熱用容器を水容器に入れるだけで極めて迅速に水分を浸透させ、スムーズな発熱を行なわせることを可能とする発熱材用不織布を提供することを目的とする。
【手続補正３】
【補正対象書類名】明細書
【補正対象項目名】０００５
【補正方法】変更
【補正の内容】
【０００５】
上記目的を達成するため本発明の発熱材用不織布は、
水浸透性を有する不織布であって、
界面活性剤を含浸させることができ、厚さ０．３〜５ｍｍ、目付重量５０〜４００ｇ／ｍ２としたものである。
【手続補正４】
【補正対象書類名】明細書
【補正対象項目名】０００６
【補正方法】変更
【補正の内容】
【０００６】
上記のように構成された発熱材用不織布は、水と接触して発熱する発熱物質および該発熱物質を収容する密閉容器を具備して燻蒸用薬剤を加熱燻蒸するための燻蒸用発熱材において、水と前記発熱物質とを作用せしめる境界に設けられる前記密閉容器の水浸透性壁もしくは水浸透性層に好適に用いることができ、使用時に発熱材を水容器内に浸漬させた際、水を吸収しやすく、水を均一に密閉容器内に導いて発熱物質を素早く発熱させることができるので、燻蒸用薬剤の燻蒸ムラを防ぎ効果的な蒸散殺虫効果を挙げることができる。
【手続補正５】
【補正対象書類名】明細書
【補正対象項目名】０００７
【補正方法】変更
【補正の内容】
【０００７】
以上、詳細に説明したように、本発明の発熱材用不織布は、水を吸収しやすく、水と接触して発熱する発熱物質および該発熱物質を収容する密閉容器を具備して燻蒸用薬剤を加熱燻蒸するための燻蒸用発熱材において、水と前記発熱物質とを作用せしめる境界に設けられる前記密閉容器の水浸透性壁もしくは水浸透性層に好適に用いることができ、発熱物質への吸水が素早く行なえ、効率的に薬剤の蒸散が行なえる特長がある。
【手続補正６】
【補正対象書類名】明細書
【補正対象項目名】００１０
【補正方法】変更
【補正の内容】
【００１０】
底壁７は水浸透性の物質である不織布を成型した水浸透壁８の外周に、前記開放口６の外周に密接被着するフランジ部９を設けたものである。この水浸透壁８には界面活性剤が含浸されており、底壁７を下側にして予め少量の水を張った水容器１０（図２参照）に浸漬することにより、界面活性剤の作用で水の表面張力を減少させるので、密閉容器２内への水の浸透が素早く行なわれるようになっている。
【手続補正７】
【補正対象書類名】明細書
【補正対象項目名】００１１
【補正方法】変更
【補正の内容】
【００１１】
この界面活性剤は、水吸収性が良いことを条件として、水に分解若しくは溶解するものであれば良く、ＨＬＢ８以上のものが望ましい。
界面活性剤は以下に挙げられる。すなわち、陰イオン性界面活性剤として、脂肪酸塩、アルキル硫酸エステル塩、アルキルベンゼンスルフォン酸塩、アルキルナフタレンスルフォン酸塩、アルキルスルフォコハク酸塩、アルキルスルホカルボン酸塩、α−オレフィンスルホン酸塩、アルキルジフェニルエーテルジスルフォン酸塩、アルキルリン酸塩、ポリオキシエチレンアルキルエーテルリン酸塩、ポリオキシエチレンアルキル硫酸エステル塩、ポリオキシエチレンアルキルアリル硫酸エステル塩、ポリオキシエチレンアルキルエーテル酢酸塩、ポリオキシエチレンアルキルリン酸エステル、ナフタレンスルフォン酸ホルマリン縮合物、特殊ポリカルボン酸型高分子界面活性剤等が挙げられる。また、陽イオン性界面活性剤として、アルキルアミン酸、第四級アンモニウム塩等が挙げられる。また、両性イオン性界面活性剤として、アルキルベタイン、酢酸ベタイン、アミンオキサイド、イミダゾリニウムベタイン、レシチン等が挙げられる。また、電離しないという条件から非イオン性界面活性剤として、ソルビタン脂肪酸エステル、グリセリン脂肪酸エステル、ポリグリセリン脂肪酸エステル、デカグリセリン脂肪酸エステル、ポリオキシエチレンソルビタン脂肪酸エステル、ポリオキシエチレンソルビット脂肪酸エステル、ポリオキシエチレングリセリン脂肪酸エステル、ポリオキシエチレングリコール脂肪酸エステル、ポリオキシエチレンアルキルエーテル、ポリオキシエチレンフィトステロール、ポリオキシエチレンフィトスタノール、ポリオキシエチレンポリエキシプロピレンアルキルエーテル、ポリオキシエチレンアルキルフェニルエーテル、ポリオキシエチレンヒマシ油、ポリオキシエチレン硬化ヒマシ油、ポリオキシエチレンラノリン、ポリオキシエチレンラノリンアルコール、ポリオキシエチレンミツロウ誘導体、ポリオキシエチレンアルキルアミン、ポリオキシエチレン脂肪酸アミド、ポリオキシエチレンアルキルフェニルホルムアルデヒト縮合物等が挙げられる。
上記した界面活性剤の０．０１〜５ｇ程度を含浸量とし、厚さが０．３〜５ｍｍ（好ましくは、０．５〜３ｍｍ）、さらに目付重量が５０〜４００ｇ／ｍ２の水浸透壁８若しくは水浸透性層１６に含浸させておくことにより、水を均一に密閉容器２内に導くことができる。
【手続補正８】
【補正対象書類名】明細書
【補正対象項目名】００１５
【補正方法】変更
【補正の内容】
【００１５】
図３は密閉容器２の底壁１４に複数の吸水孔１５を設け、この吸水孔１５に接して水浸透性層１６を設けた燻蒸用発熱材１を形成したものである。この密閉容器２は側壁５と底壁１４とを一体的に成形した容器で、上壁４は被着する構成になっている。この密閉容器２の底壁１４には複数の小孔を穿設した吸水孔１５が設けてある。この各吸水孔１５を設けた底壁１４の内側上部には各吸水孔１５に接する水浸透性層１６が設けてある。この水浸透性層１６は０．３〜５（ミリ）層のレーヨン、ナイロン、ポリプロピレン、ポリエチレン、ポリエステル等の不織布で形成された上記目付重量の層で、この水浸透性層１６には上述の界面活性剤が含浸されている。
【手続補正９】
【補正対象書類名】明細書
【補正対象項目名】００２０
【補正方法】変更
【補正の内容】
【００２０】
図７は、図２に示したものと同様に上壁４上に薬剤容器１２を装着したものであるが、底壁１４には吸水孔１５を穿設し底壁１４上に水浸透性層１６を設けた図３のものと同様になっている。この燻蒸用発熱材１の密閉容器２の下方には水容器１０が嵌合されてあって、この水容器１０内に予め水を入れ密閉容器２を装着すれば発熱燻蒸が行なわれるように構成されたものである。
【手続補正１０】
【補正対象書類名】図面
【補正対象項目名】図７
【補正方法】変更
【補正の内容】
【図７】
2004350688.tif 000014